(57)【要約】【課題】  仕切板に掛かる荷重を均等にして、仕切板の振動あるいは騒音を防止する。また、狭い筐体内でも、ファンモータの仕切板への着脱作業を容易に行えるダクト型空気調和機を提供することを目的とする。【解決手段】  仕切板３のファンモータ取付部に３本の縦ビード３ｊ−１と、縦ビード３ｊ−２と、縦ビード３ｊ−３とこれらを連結するような１本の横ビード３ｈとからなるビード３ｃを設け、縦ビード３ｊ−１を挟んで螺子孔３ｎ−１とファンケーシング８ａの螺子孔３ｋ−１及び螺子孔３ｎ−２と螺子孔３ｋ−２とが配置され、また、螺子孔３ｎ−１と螺子孔３ｎ−２とは横ビード３ｈを挟んで上下に配置されている。同様に、ビード３ｃの縦ビード３ｊ−３を挟んで螺子孔３ｎ−３と螺子孔３ｋ−５及び螺子孔３ｎ−４と螺子孔３ｋ−６とが配置され、また、螺子孔３ｎ−３と螺子孔３ｎ−４は横ビード３ｈを挟んで上下に配置されている。【選択図】図３
2011094851.tif 000002
【特許請求の範囲】
【請求項１】
吸込口と吹出口とを備えた筐体内を仕切板により、送風ファンを収納した送風機室と、熱交換器を収納した熱交換器室とに区画し、前記仕切板に、前記送風ファンの送出口が挿通する開口部と前記送風ファンを駆動するファンモータの取付部とを設けるとともに、前記開口部の周囲に前記送風ファンのファンケーシングが螺子止めされる複数の螺子孔を設けるとともに、前記ファンモータの取付部にファンモータの台座が螺子止めされる複数の螺子孔を設けてなるダクト型空気調和機において、
前記仕切板の前記ファンモータの取付部に、複数の縦状ビードと、同複数の縦状ビードを連結する横状ビードとを組み合わせたビードを設けるとともに、前記縦状ビードを挟んでファンモータの台座が螺子止めされる螺子孔と前記ファンケーシングが螺子止めされる螺子孔とを１箇所づつ配置する一方、横状ビードを挟んでファンモータの台座が螺子止めされる螺子孔を各々１箇所づつ配置したことを特徴とするダクト型空気調和機。
【請求項２】
前記仕切板のファンケーシングが螺子止めされる複数の螺子孔は、水平方向の投影面上において前記ファンモータの回転軸を挟んで上下に配置されていることを特徴とする請求項１に記載のダクト型空気調和機。
【発明の詳細な説明】
【技術分野】
【０００１】
本発明は、ダクト型空気調和機に関わり、より詳細には、ファンモータ及びファンケーシングの取付構成に関する。
【背景技術】
【０００２】
建屋の天井空間内に設置され、室内熱交換器およびファンを収容して構成された本体に、吹出ダクトを接続したダクト型空気調和機が知られている。ダクト型空気調和機にはパネル仕様型とダクト仕様型とがあり、例えば図５で示す空気調和機３０はダクト仕様型であり、建屋の天井面５０に取付けられた複数の吊ボルト３２に固定された本体３１と、室内の天井面５１に、吸込口３４となる一端を開口し、他端を本体３１に接続した吸込ダクト３５と、一端を本体３１に接続し、吹出口３６となる他端を室内の天井面５１に開口した吹出ダクト３７とから構成され、本体３１には、制御基板等を収納した電装品箱３３が付設されている。
【０００３】
本体３１は、互いに対向配置されて四角枠形状に設けられた側板と、底板とからなる上面が開放された箱体と、同箱体の開放された上面を覆う天板とからなり、これら側板と天板の内側あるいは外側表面には結露を防止する断熱材が貼着されている。本体３１内は、後述する仕切板により送風機室と、熱交換器室とに区画されており、吸込ダクト３５側には、複数の送風ファンと、同送風ファンを駆動する仕切板に固定されたファンモータとが収納された送風機室が形成され、吹出ダクト３７側には、熱交換器と、同熱交換器から滴下する凝縮水を貯留するドレンパンとを収納した熱交換器室とが形成されている。
【０００４】
吸込口３４から吸込まれた空気は吸込ダクト３５を介して本体３１内の送風機室に吸引され、送風ファンにより、熱交換器室に送出され、熱交換器を通過して冷媒と熱交換される。熱交換された空気は、吹出ダクト３７を介して吹出口３６から室内に送出されるようになっている。
【０００５】
本体３１の箱体は、互いに対向配置されて四角枠形状に設けられた側板と、底板とからなり、箱体の側板には吊り金具が固着され、この吊り金具が、建屋の天井５０から垂下された吊りボルト３２に固定されて、天井面５１内に吊り下げ可能となっている。上面が開放された箱体に、平板状に形成された天板を被せた本体３１は強度的に充分ではなく、吊りボルト３２に固定されて、本体３１に自重による応力が掛かると、同本体３１には変形が生じ易いという問題がある。更に、ファンモータが仕切板に固定されていることから、仕切板にはかなりの荷重が掛かるとともに、ファンモータの運転時に仕切板が振動し、これに伴って騒音が発生してしまうというような不具合があった。
【０００６】
上記したような問題に対処するため、仕切板には、縦状と横状とを組合わせた、絞り凹部によるビードが形成される場合がある。しかしながら、ビードの位置と、ファンモータの台座及びファンケーシングを固定する螺子位置とが適正な配置になっていないと、仕切板からの振動及び騒音の発生が充分に防止しきれず、ビードの効果が半減してしまうという問題があった。
【０００７】
また、仕切板に固定されたファンモータは両側に回転軸を突出させ、同回転軸を夫々、送風ファンのファンケーシングに収納された回転ブレードに接続させるようになっている。しかるに、メンテナンス作業等において、ファンモータ及び送風ファンを仕切板から取り外して作業を行う場合があるが、ファンモータの両側に突出された回転軸が、螺子の脱着作業に障害となって、狭い筐体内でのメンテナンス作業を困難なものとしていた。
【先行技術文献】
【特許文献】
【０００８】
【特許文献１】特開２０００−２７４７２８号（３頁、図１）
【発明の概要】
【発明が解決しようとする課題】
【０００９】
本発明は、上記問題点に鑑み、仕切板に設けられたビードと、ファンモータの台座及びファンケーシングを固定する螺子位置とを適正な配置にして、ビードによる仕切板の強度向上の効果を高め、振動及び騒音の発生を極力防止する一方、ビードにより仕切板の薄板化を図って重量低減を行うものである。また、狭い筐体内でも、ファンモータ及び送風ファンの仕切板への着脱作業を容易に行えるダクト型空気調和機を提供することを目的とする。
【課題を解決するための手段】
【００１０】
本発明は、上記課題を解決するため、吸込口と吹出口とを備えた筐体内を仕切板により、送風ファンを収納した送風機室と、熱交換器を収納した熱交換器室とに区画し、前記仕切板に、前記送風ファンの送出口が挿通する開口部と前記送風ファンを駆動するファンモータの取付部とを設けるとともに、前記開口部の周囲に前記送風ファンのファンケーシングが螺子止めされる複数の螺子孔を設けるとともに、前記ファンモータの取付部にファンモータの台座が螺子止めされる複数の螺子孔を設けてなるダクト型空気調和機において、前記仕切板の前記ファンモータの取付部に、複数の縦状ビードと、同複数の縦状ビードを連結する横状ビードとを組み合わせたビードを設けるとともに、前記縦状ビードを挟んでファンモータの台座が螺子止めされる螺子孔と前記ファンケーシングが螺子止めされる螺子孔とを１箇所づつ配置する一方、横状ビードを挟んでファンモータの台座が螺子止めされる螺子孔を各々１箇所づつ配置した構成となっている。
【００１１】
また、前記仕切板のファンケーシングが螺子止めされる複数の螺子孔は、水平方向の投影面上において前記ファンモータの回転軸を挟んで上下に配置された構成となっている。
【発明の効果】
【００１２】
請求項１の発明によれば、縦状ビードを挟んでファンモータの台座が螺子止めされる螺子孔と前記ファンケーシングが螺子止めされる螺子孔とを１箇所づつ配置する一方、横状ビードを挟んでファンモータの台座が螺子止めされる螺子孔を各々１箇所づつ配置したことにより、ファンモータ及び送風ファンの荷重が仕切板に掛かっても荷重が分散され、仕切板の耐力を高めるようになっている。これにより、ファンモータが運転されても仕切板及びファンケーシングの振動及びこれに伴う騒音の発生を防止できるようになっている。また、仕切板の薄板化により、コスト低減、重量低減に繋げることができるようになっている。
【００１３】
請求項２の発明によれば、仕切板に対し送風ファンのファンケーシングを固定する螺子の脱着作業の際、螺子締作業を行うドライバを水平方向に挿入して作業を行うことができるようになっている。これにより、メンテナンス作業を行うような場合、専用の工具等を用いることなく、容易に作業を遂行することができるようになっている。
【図面の簡単な説明】
【００１４】
【図１】本発明によるダクト型空気調和機の分解斜視図及び断面図である。
【図２】仕切板の斜視図及び正面図である。
【図３】送風ファン及びファンモータの取付手順を示す斜視図である。
【図４】仕切板にファン及びファンモータが取付けられた状態を示す部分正面図である。
【図５】従来のダクト型空気調和機を示す説明図である。
【発明を実施するための形態】
【００１５】
以下、本発明の実施の形態を、添付図面に基づいた実施例として詳細に説明する。
【実施例１】
【００１６】
本発明によるダクト型空気調和機は、図１（Ａ）の斜視図で示すように、底板と、同底板の四側周囲に備えられた側板及び吹出ダクトが接続される前面板とからなる上面が開放された箱体１と、同箱体１の開放された上面を覆う天板２とで筐体を構成しており、同筐体の側板及び天板の内側もしくは外側表面には、これら側板及び天板の表面に結露が発生することを防止する断熱材が貼着されている。上面が開放された箱体１の側板には、図示しない複数の吊金具が設けられ、この吊り金具が、建屋の天井から垂下された吊りボルトに固定されて、建屋の天井と室内の天井面との間に吊り下げられるようになっている。
【００１７】
上面が開放された箱体１と天板２とからなる筐体内は、図１（Ｂ）の断面図で示すように、仕切板３により送風機室４と熱交換器室５とに区画されている。送風機室４側の筐体の一側には、網目状のグリルを備えた吸込口６が形成されており、同吸込口６には、図示しない吸込ダクトが接続されるようになっている。また、送風機室４には、図１（Ａ）に示すように、左右一対に送風ファン８が設けられており、これら送風ファン８の中央に、両側に回転軸を突出させたファンモータ９が仕切板３に固定されて配置されている。ファンモータ９の回転軸は、送風ファン８のケーシング８ａ内に収納された回転ブレード８ｂに接続されており、これを回転駆動するようになっている。また、送風ファン８の送出口８ｃは、仕切板３に開口された後述する開口部３ｂから熱交換器室５に突出して設けられている。尚、送風ファン８はシロッコファンであり、ケーシング８ａの両側面に吸入口を備え、筐体の吸込口６から流入してきた空気を同ケーシング８ａの吸入口から吸入し、回転ブレード８ｂによりケーシング８ａ先端部の送出口８ｃから熱交換器室５に送出するようになっている。
【００１８】
尚、筐体の吸込口６には、上記したように、図示しない吸込ダクトが接続される場合と、接続されない場合があり、必要に応じて使い分けられるようになっている。
【００１９】
熱交換器室５側の筐体の他側には前面板１ａが備えられ、同前面板１ａには、図示しない吹出ダクトが接続される吹出ダクト接続口７が形成されている。同吹出ダクト接続口７に吹出ダクトの一端が接続され、他端は室内天井の開口部に接続されるようになっている。
【００２０】
熱交換器室５には、吹出ダクト接続口７から仕切板３に向かい、下方に傾斜した室内熱交換器１０が設けられている。同室内熱交換器１０は、並列した多数のフィンと、同フィンに直交するように蛇行状に配設された伝熱管とからなり、同伝熱管は配管を介して図示しない室外機に接続されるようになっている。また、熱交換器室５の底面には、室内熱交換器１０の表面で凝縮した凝縮水を受ける露受皿１１が設けられている。同露受皿１１は仕切板３側に、凝縮水を受けることのできる立ち上がり部１１ａを有する断面Ｌ字状に形成され、これにより、ダクト型空気調和機は、熱交換器室５を上部にした縦置型空気調和機としても使用できるようになっている。尚、露受皿１１に貯留された凝縮水は、図示しない排水菅により、外部に排出されるようになっている。
【００２１】
筐体の吸込口６から吸込まれた空気は、送風機室４の送風ファン８により熱交換器室５に送出され、室内熱交換器１０で冷媒と熱交換された後、吹出ダクト接続口７に接続された図示しない吹出ダクトを介して室内に吹出され、室内の冷暖房を行うようになっている。
【００２２】
次に、仕切板３の構成について説明する。仕切板３は、図２（Ａ）に示すように、送風ファン８の送出口８cが挿通する一対の開口部３ｂ−１及び開口部３ｂ−２を設けた基部３ａと、同基部３ａの下辺から折曲された下部フランジ３ｄと、側辺から折曲され延出された側面フランジ３ｅと、上辺に、下部フランジ３ｄとは反対方向に折曲して形成された上部フランジ３ｆ及び同上部フランジ３ｆから延出された延出フランジ３ｇとからなっている。
【００２３】
仕切板３には後述するように、ファンモータ９と一対のファンケーシング８ａが螺子止めにより固定されるとともに、上記した開口部３ｂ−１及び開口部３ｂ−２には送風ファン８のファンケーシング８ａの吹出口８が挿通される構成となっており、従来の構成では、冷暖房運転時、ファンモータ９が運転されると、同ファンモータ９の荷重が掛かった仕切板３には振動が発生し、また、仕切板３を介して、その振動がファンケーシング８ａに伝達されて同ファンケーシング８ａにも振動が発生する。また、これら振動に伴って騒音が発生してしまう等の不都合がある。
【００２４】
上記したような振動及び騒音を極力、防止するため、本発明による仕切板３は図２（Ｂ）に示すように構成されている。基部３ａの一対の開口部３ｂ−１と開口部３ｂ−２との間は、後述するファンモータ９の台座９ｃが固定されるファンモータ取付部となっており、開口部３ｂ−１の周囲にはファンケーシング８ａが螺子止めされる螺子孔３ｋ−１、螺子孔３ｋ−２、螺子孔３ｋ−３及び螺子孔３ｋ−４が穿設され、同様に、開口部３ｂ−２の周囲にはファンケーシング８ａが螺子止めされる螺子孔３ｋ−５、螺子孔３ｋ−６、螺子孔３ｋ−７及び螺子孔３ｋ−８が穿設されている。ファンモータ取付部には、仕切板３の強度を増すためのビード３ｃが形成されており、天板２に形成されたビード２ａと同様に、送風機室４側に窪む台形状の絞り凹部として形成されており、同ビード３ｃは３本の縦ビード３ｊ−１と、縦ビード３ｊ−２と、縦ビード３ｊ−３とこれらを連結するように設けられた１本の横ビード３ｈとからなっている。
【００２５】
ビード３ｃの部位には、ファンモータ９の台座を固定するための螺子孔３ｎ−１〜３ｎ−４が４箇所、穿設されている。同螺子孔３ｎ−１〜３ｎ−４と上記した開口部３ｂ−１周囲のファンケーシング８ａが螺子止めされる螺子孔３ｋ−１、螺子孔３ｋ−２と、開口部３ｂ−２周囲のファンケーシング８ａが螺子止めされる螺子孔３ｋ−５、螺子孔３ｋ−６との位置関係は、図２（Ｂ）に示すように、ビード３ｃの縦ビード３ｊ−１を挟んで螺子孔３ｎ−１と螺子孔３ｋ−１及び螺子孔３ｎ−２と螺子孔３ｋ−２とが配置され、また、螺子孔３ｎ−１及び螺子孔３ｎ−２とは横ビード３ｈを挟んで上下に配置されている。同様に、ビード３ｃの縦ビード３ｊ−３を挟んで螺子孔３ｎ−３と螺子孔３ｋ−５及び螺子孔３ｎ−４と螺子孔３ｋ−６とが配置され、また、螺子孔３ｎ−３と螺子孔３ｎ−４とは横ビード３ｈを挟んで上下に配置されている。このように、夫々のビードで区画された部位に各々螺子孔が１箇所づつ配置されていることにより、ファンモータ９及びファンケーシング８ａの螺子止め箇所に掛かる荷重が仕切板３において、均等に分散されるようになっている。
【００２６】
尚、ファンケーシング８ａが螺子止めされる螺子孔３ｋ−１から螺子孔３ｋ−８までの位置は、後述するようにファンモータ９が台座を介して仕切板３に固定された際、ファンモータ９の両側に突出された回転軸９ｂを挟んで水平方向の投影面上において上下に配置されている。
【００２７】
次に、ファンモータ９及び送風ファン８の取付について説明する。図３に示すように、まず、台座９ｃに穿設された螺子挿通孔に螺子２０が挿通されるとともに、螺子孔３ｎ−１〜３ｎ−４に螺合されることにより、台座９が仕切板３に固定されるようになっている。続いて、回転軸９ｂに送風ファン８を連結させたファンモータ９のモータ本体部９ａが台座９ｃに図示しないベルトにより固定される一方、送風ファン８の周囲に形成されたフランジ８ｄが仕切板３に穿設された螺子孔３ｋ−１から螺子孔３ｋ−８に螺子２０により夫々固定されるようになっている。
【００２８】
次に、効果について説明する。ファンモータ９が台座９ｃを介して仕切板３に取付けられた際、縦ビード３ｊ−１を挟んで螺子孔３ｎ−１と螺子孔３ｋ−１及び螺子孔３ｎ−２と螺子孔３ｋ−２とが配置され、また、螺子孔３ｎ−１と螺子孔３ｎ−２とは横ビード３ｈを挟んで上下に配置され、同様に、縦ビード３ｊ−３を挟んで螺子孔３ｎ−３と螺子孔３ｋ−５及び螺子孔３ｎ−４と螺子孔３ｋ−６とが配置され、螺子孔３ｎ−３と螺子孔３ｎ−４とは横ビード３ｈを挟んで上下に配置されていることにより、上記したように、夫々のビードで区画された部位に各々螺子孔が１箇所づつ配置されていることになり、ファンモータ９の荷重が仕切板３に掛かっても、荷重が分散され、これにより仕切板３の耐力を高めて、仕切板３の振動及び同仕切板３に固定されたファンケーシング８ａの振動と、これに伴う仕切板３及びファンケーシング８ａから発生する騒音の発生を防止できるようになっている。また、これにより、従来に比して仕切板３の薄板化を図り、コスト低減、重量低減に繋げることができるようになっている。尚、本願においては、ビードで区画された部位に各々螺子孔が１箇所づつ配置されているが、これに限定されるものでなく、縦ビード及び横ビードで区画される部位に、均等な個数の螺子孔を配置しても同等の効果を得ることができる。
【００２９】
また、図４で示すように、送風ファン８のフランジ８ｄを固定する、仕切板３に設けられた螺子孔３ｋ−１から螺子孔３ｋ−８は、ファンモータ９の両側に突出された回転軸９ｂを挟んで水平方向の投影面上において上下に配置されていることにより、螺子２０の脱着の際、螺子締作業を行うドライバを水平方向に挿入して脱着作業を行うことができるようになっている。これにより、例えば、狭い天井面内でメンテナンス作業を行うような場合、専用の工具等を用いることなく、容易に作業を遂行することができるようになっている。
【符号の説明】
【００３０】
１  箱体
２  天板
３  仕切板
３ａ  基部
３ｂ  開口部
３ｃ  ビード
３ｄ  下部フランジ
３ｅ  側面フランジ
３ｆ  上部フランジ
３ｇ  延出フランジ
３ｈ  横ビード
３ｊ−１、３ｊ−２、３ｊ−３    縦ビード
３ｋ−１〜３ｋ−８  螺子孔
３ｎ−１〜３ｎ−４  螺子孔
４  送風機室
５  熱交換器室
６  吸込口
７  吹出ダクト接続口
８  送風ファン
８ａ  ファンケーシング
８ｂ  回転ブレード
８ｃ  送出口
８ｄ  フランジ
９  ファンモータ
９ａ  モータ本体部
９ｂ  回転軸
９ｃ  台座
１０  室内熱交換器
１１  露受皿
２０  螺子
【図１】
2011094851.tif 000003
【図２】
2011094851.tif 000004
【図３】
2011094851.tif 000005
【図４】
2011094851.tif 000006
【図５】
2011094851.tif 000007